(57)【要約】【課題】  本発明は、枕本体を頭部を挟むようにして取り付けることにより、睡眠中に仰臥位状態になっても半強制的に側臥位状態に戻すことができる側臥位枕を提供する。【解決手段】  側臥位枕１０の枕本体１２の中央部には略円柱形状の仰臥防止体１４が枕本体１２に巻き付けられた状態で取り付けられている。枕本体１２の一端部１２Ｃには第１ホールド体１６が連続形成され、他端部１２Ｄには第２ホールド体１８が連続形成されている。第１ホールド体１６の正面上部には固定ベルト２２の第１固定ベルト片２２Ａが取り付けられ、第２ホールド体１８の正面上部には固定ベルト２２の第２固定ベルト片２２Ｂが取り付けられている。前記第１ホールド体１６の背面中央部と第２ホールド体１８の間には腰部ベルト２４が配設されている。【選択図】  図１
2006198210.tif 000002
【特許請求の範囲】
【請求項１】
頭部や首部を載置する枕本体と、この枕本体の左右方向中央部に前後方向に向って設けられることにより枕本体の正面及び背面に突設された仰臥防止体と、前記枕本体の一端部に設けられた第１ホールド体と、前記枕本体の他端部に設けられた第２ホールド体と、前記第１ホールド体に取り付けられた固定ベルトの第１固定ベルト片と、前記第２ホールド体に取り付けられた固定ベルトの第２固定ベルト片と、を有してなることを特徴とする側臥位枕。
【請求項２】
頭部や首部を載置する枕本体と、この枕本体の左右方向中央部に着脱可能に巻き付けられて取り付けられた略円柱形状の仰臥防止体と、前記枕本体の一端部に枕本体と交差方向に連続形成された第１ホールド体と、前記枕本体の他端部に枕本体と交差方向に交差方向に連続形成されると共に前記第１ホールド体と対向する第２ホールド体と、前記第１ホールド体の正面上部に取り付けられた固定ベルトの第１固定ベルト片と、前記第２ホールド体の正面上部に取り付けられた固定ベルトの第２固定ベルト片と、前記第１ホールド体と前記第２ホールド体を連結する腰部ベルトと、を有してなることを特徴とする側臥位枕。
【請求項３】
頭部や首部を載置すると共に肌触りのよい生地で形成された枕本体と、この枕本体の左右方向中央部に着脱可能に巻き付けられて取り付けられると共に肌触りのよい生地で形成された略円柱形状の仰臥防止体と、前記枕本体の一端部に枕本体と交差方向に連続形成されると共に通気性のよい生地で形成された略円柱状の第１ホールド体と、前記枕本体の他端部に枕本体と交差方向に交差方向に連続形成されると共に前記第１ホールド体と対向する通気性のよい生地で形成された略円柱状の第２ホールド体と、前記第１ホールド体の正面上部に取り付けられた固定ベルトの第１固定ベルト片と、前記第２ホールド体の正面上部に取り付けられた固定ベルトの第２固定ベルト片と、前記第１ホールド体の背面中央部と前記第２ホールド体の背面中央部を連結する腰部ベルトと、を有してなることを特徴とする側臥位枕。
【発明の詳細な説明】
【技術分野】
【０００１】
本発明は、側臥位状態になって眠ることができる側臥位枕に関する。
【背景技術】
【０００２】
近年、睡眠中に無呼吸状態に陥ったり低呼吸状態に陥ったりする睡眠呼吸障害を発症する人が多くなり、健康面から注目を集めている。
この無呼吸状態に陥ったり低呼吸状態に陥ったりする睡眠呼吸障害（以下「睡眠呼吸障害」と称す）は、睡眠時の姿勢が側臥位状態よりも仰臥位状態において無呼吸・低呼吸が倍以上増加する場合を体位依存性の睡眠呼吸障害と定義されている。
睡眠呼吸障害の重症度評価にはＡＨＩ（無呼吸・低呼吸指数）が用いられるが、通常、体位依存性の睡眠呼吸障害の患者では仰臥位のＡＨＩが側臥位よりも２倍以上増加する。また、出願人が有するデータでは体位依存性の睡眠呼吸障害の患者のうち、約半数は側臥位でのＡＨＩが１０以下（正常範囲）となり、側臥位状態による睡眠が、睡眠時の呼吸状態を改善する有効な手段の一つであることを示唆している。
しかし、従来の枕は一般的に袋状のピローケースにスポンジ、羽毛、蕎麦殻等の適宜充填材を充填して立体的な形状にしてなるものである。
このため、体位依存性の睡眠呼吸障害の患者が従来の枕を使用して睡眠をとる場合は、就寝する時は側臥位状態で寝ても睡眠中に寝返り等して無意識に仰臥位状態になってしまい、この結果、睡眠呼吸障害の発生を抑えることが困難であるという不具合がある。
そこで、枕の左右方向中間部を突設状態にして側臥位状態になり易い枕が開発されている。しかし、このタイプの枕は睡眠中に枕を無意識のうちに外してしまうことが容易であるため簡単に仰臥位状態に戻ってしまうという不具合がある。
【特許文献１】実用新案登録第３００９８４４号
【発明の開示】
【発明が解決しようとする課題】
【０００３】
本発明は、上記事実に鑑みなされたものであり枕本体を頭部を挟むようにして取り付けることにより、睡眠中に仰臥位状態になっても半強制的に側臥位状態に戻すことができる側臥位枕を提供するものである。
【課題を解決するための手段】
【０００４】
請求項１の発明は、頭部や首部を載置する枕本体と、この枕本体の左右方向中央部に前後方向に向って設けられることにより枕本体の正面及び背面に突設された仰臥防止体と、前記枕本体の一端部に設けられた第１ホールド体と、前記枕本体の他端部に設けられた第２ホールド体と、前記第１ホールド体に取り付けられた固定ベルトの第１固定ベルト片と、前記第２ホールド体に取り付けられた固定ベルトの第２固定ベルト片と、を有してなることを特徴としている。
請求項２の発明は、頭部や首部を載置する枕本体と、この枕本体の左右方向中央部に着脱可能に巻き付けられて取り付けられた略円柱形状の仰臥防止体と、前記枕本体の一端部に枕本体と交差方向に連続形成された第１ホールド体と、前記枕本体の他端部に枕本体と交差方向に交差方向に連続形成されると共に前記第１ホールド体と対向する第２ホールド体と、前記第１ホールド体の正面上部に取り付けられた固定ベルトの第１固定ベルト片と、前記第２ホールド体の正面上部に取り付けられた固定ベルトの第２固定ベルト片と、前記第１ホールド体と前記第２ホールド体を連結する腰部ベルトと、を有してなることを特徴としている。
請求項３の発明は、頭部や首部を載置すると共に肌触りのよい生地で形成された枕本体と、この枕本体の左右方向中央部に着脱可能に巻き付けられて取り付けられると共に肌触りのよい生地で形成された略円柱形状の仰臥防止体と、前記枕本体の一端部に枕本体と交差方向に連続形成されると共に通気性のよい生地で形成された略円柱状の第１ホールド体と、前記枕本体の他端部に枕本体と交差方向に交差方向に連続形成されると共に前記第１ホールド体と対向する通気性のよい生地で形成された略円柱状の第２ホールド体と、前記第１ホールド体の正面上部に取り付けられた固定ベルトの第１固定ベルト片と、前記第２ホールド体の正面上部に取り付けられた固定ベルトの第２固定ベルト片と、前記第１ホールド体の背面中央部と前記第２ホールド体の背面中央部を連結する腰部ベルトと、を有してなることを特徴としている。
【発明の効果】
【０００５】
本発明の側臥位枕は、睡眠中に側臥位状態から仰臥位状態になろうとしても再び側臥位状態に戻ることにより側臥位状態の割合を多くして、睡眠呼吸障害を減少させることができるという優れた効果を有する。
【発明を実施するための最良の形態】
【０００６】
発明を実施するために最良の形態の例として以下のような実施例を示す。
【実施例１】
【０００７】
図１〜図５には本発明に係る側臥位枕１０の一実施例が示されている。
図１及び図２に示されるように、側臥位枕１０の枕本体１２は使用者の頭部や首部を載置できるようになっている。この枕本体１２は肌触りのよい生地（例えば、起毛ベンベルグ）で一定の厚みを有するように形成されている。また、前記枕本体１２の左右方向（図１、図２左右方向）中央部には略円柱形状の仰臥防止体１４が前後方向（図１、図２上下）に向って枕本体１２に巻き付けられた状態で取り付けられている。従って、図３及び図４に示されるように、枕本体１２に取り付けられて枕本体１２の正面１２Ａに位置する仰臥防止体１４の正面部１４Ａは枕本体１２の正面１２Ａから突出すると共に枕本体１２の背面１２Ｂに位置する仰臥防止体１４の背面部１４Ｂも枕本体１２の背面１２Ｂから突出するようになっている。前記仰臥防止体１４は仰臥防止体１４の一端部と他端部に固定された図示しないボタン等の適宜手段により着脱自在に取り付けられている。なお、前記仰臥防止体１４も肌触りのよい生地（例えば、起毛ベンベルグ）で一定の厚みを有するように形成されている。
図１及び図２に示されるように、前記枕本体１２の一端部１２Ｃには枕本体１２と交差方向に断面円柱状の第１ホールド体１６が連続形成されている。また、前記枕本体１２の他端部１２Ｄには枕本体１２と交差方向に断面円柱状の第２ホールド体１８が前記第１ホールド体１６と対向するように連続形成されている。なお、前記第１ホールド体１６と第２ホールド体１８も通気性のよい生地（例えば、ラッセルメッシュ）で立体的に形成されている。
図１に示されるように、前記第１ホールド体１６の正面上部には短い固定ベルト２２を構成する第１固定ベルト片２２Ａが取り付けられている。また、第２ホールド体１８の正面上部には前記固定ベルト２２を構成する第２固定ベルト片２２Ｂが前記第１固定ベルト片２２Ａと対応して取り付けられている。従って、第１固定ベルト片２２Ａと第２固定ベルト片２２Ｂを連結できるようになっている。
図２に示されるように、前記第１ホールド体１６の背面中央部と前記第２ホールド体１８の背面中央部の間には第１ホールド体１６と第２ホールド体１８を連結する前記固定ベルト２２よりも長い腰部ベルト２４が配設されている。この腰部ベルト２４は調節バックル２４Ａによって長さ調節ができるようになっている。
【０００８】
次に、体位依存性の睡眠呼吸障害の患者が前記側臥位枕１０を使用して寝る場合を例にして作用を説明する。
まず、前記患者が側臥位枕１０を使用する前に図１〜図４に示されるように、前記枕本体１２の左右方向中央部に仰臥防止体１４を前後方向（図１、図２上下方向）に巻き付けて取り付けておく。
次に、前記患者は身体を第１ホールド体１６と第２ホールド体１８の間に位置させて仰臥状態になって腰を前記腰部ベルト２４に対応させると共に頭部及び首部を枕本体１２に取り付けられた仰臥防止体１４に載置させる。
そして、前記固定ベルト２２の第１固定ベルト片２２Ａと第２固定ベルト片２２Ｂを締め付ける。これにより、図５に示されるように、前記患者の側頭部は前記枕本体１２の一端部１２Ｃと他端部１２Ｄによって挟まれた状態になると共に患者と側臥位枕１０は一体になる。また、前記第１ホールド体１６と第２ホールド体１８は接近して第１ホールド体１６の先端部と第２ホールド体１８の先端部は当接すると共に患者の腰は前記腰部ベルト２４によって第１ホールド体１６と第２ホールド体１８に密着状態になる。
従って、この状態で患者が前記第１ホールド体１６及び第２ホールド体１８を両腕で抱いた状態で仰臥位になると側頭部は枕本体１２の一端部１２Ｃ又は他端部１２Ｄに載置された状態になる。また、患者が脚を第１ホールド体１６、第２ホールド体１８に載せたり脚で前記第１ホールド体１６、第２ホールド体１８を挟むことにより気分が安定したりリラックスする効果を得られる。
側臥位状態で寝ていた患者が睡眠中に寝返り等で無意識に仰臥状態になると、前記患者の後頭部や頸部は枕本体１２の正面１２Ａから突設状態になっている仰臥防止体１４の正面部１４Ａによって後頭部及び首部が圧迫される。また、前記患者が仰臥状態になると枕本体１２の背面１２Ｂから突設状態になっている仰臥防止体１４の背面部１４Ｂが中心になって敷かれている布団に当接するため、前記患者の頭部や首部は不安定な状態になる。
この結果、患者は仰臥位状態で寝ることが困難になるため、再び側臥位状態に戻ろうとして側臥位状態になって眠る。しかも、頭部及び首部は前記枕本体１２に挟み付けられた状態を維持される。
従って、体位依存性の睡眠呼吸障害の患者が本発明の側臥位枕１０を使用すれば睡眠中に寝返り等をして無意識に仰臥位状態になろうとしても再び側臥位状態に戻るため、睡眠中における側臥位状態の割合を大きく増加させることができ、この結果、無呼吸・低呼吸を大きく減少させることができ睡眠呼吸障害を減少させることができる。
なお、出願人が体位依存性の睡眠呼吸障害の患者と健常者で実験を行ったところ両被験者ともに睡眠中の側臥位状態の割合が大きく増加し、無呼吸・低呼吸を減少させることができた。
【０００９】
なお、実施例の前記仰臥防止体１４は枕本体１２に対して着脱可能であるので、患者に適した太さの仰臥防止体１４を取り付けて使用することができる。
【００１０】
なお、本発明の側臥位枕１０を使用して体位依存性の睡眠呼吸障害の患者の睡眠時の姿勢を側臥位状態に維持させることにより睡眠構造が悪化する（深睡眠の減少等）可能性が考えられた。
そこで、出願人が体位依存性の睡眠呼吸障害の患者と健常者に対して従来の枕と本発明の側臥位枕１０を使用させて睡眠構造が悪化する（深睡眠の減少等）か否かを比較する実験を行った。
しかし、実験結果から両被験者とも本発明の側臥位枕１０を使用することにより睡眠構造が悪化するようなデータは得られず、睡眠構造が悪化しないことが示唆された。
【００１１】
なお、実施例では側臥位枕１０を体位依存性の睡眠呼吸障害の患者が使用する場合を例にして説明したが、側臥位枕１０を使用するのは体位依存性の睡眠呼吸障害の患者に限定されるものでなく健常者が使用してもよいことは勿論である。
また、実施例では前記仰臥防止体１４を枕本体１２に対して取り付け可能な例を示した仰臥防止体１４は前記枕本体１２に一体して設けられているタイプでもよいことは勿論である。
【図面の簡単な説明】
【００１２】
【図１】実施例の側臥位枕の正面図である。
【図２】実施例の側臥位枕の背面図である。
【図３】実施例の側臥位枕を右側面図である。
【図４】実施例の側臥位枕の底面図である。
【図５】実施例の側臥位枕を使用している状態の斜視図である。
【符号の説明】
【００１３】
１０    側臥位枕
１２    枕本体
１４    仰臥防止体
１６    第１ホールド体
１８    第２ホールド体
２２    固定ベルト
２４    腰部ベルト
【図１】
2006198210.tif 000003
【図２】
2006198210.tif 000004
【図３】
2006198210.tif 000005
【図４】
2006198210.tif 000006
【図５】
2006198210.tif 000007